(57)【要約】ケーブル電話装置にオンデマンド型バッテリーバックアップを提供するシステム及び方法は、ＡＣ主電源をＤＣに変換し、バッテリーを充電し、調整した電力をケーブルモデム装置に提供し、ケーブルモデム装置に信号を提供してＡＣ主電源が存在しないことを示し、前記ケーブルモデム装置により前記信号を検出し、スリープモードに入り前記電話インタフェースを無効にし、前記ケーブル電話装置の起動時にスリープモードを出て前記ケーブルモデム装置により電話インタフェースを有効にし、前記ケーブルモデム装置により電話サービスの可能性を示すことを有する。
2006500829.tif 000002
【特許請求の範囲】
【請求項１】
ケーブル電話装置のオンデマンド型バッテリーバックアップを提供するシステムであって、
ＡＣ主電源が利用可能でないときを決定するＡＣ主電源検出器を有し、ＡＣ主電源が利用可能でないときに電力損失信号を出す信号提供器を有するオンデマンド型バッテリーバックアップ装置と、
前記オンデマンド型バッテリーバックアップ装置に結合され、前記信号提供器により出された前記電力損失信号を検出する信号検出器を有し、ＡＣ主電源が利用可能でないときに電話インタフェース回路を無効にするスリープ回路と、ＡＣ主電源が利用可能でないときに前記電話インタフェース回路を有効にする起動スイッチと、前記電話インタフェース回路が有効になったときに電話サービスの可用性を示す電話サービスインジケータとを有するケーブルモデム装置と
を有するシステム。
【請求項２】
請求項１に記載のシステムであって、
前記ケーブルモデム装置は、ＡＣ主電源の不稼動の間に前記スリープ回路を最初に起動する第１のタイマーと、ＡＣ主電源の不稼動の間に前記スリープ回路を再起動する第２のタイマーと
を有するシステム。
【請求項３】
請求項１に記載のシステムであって、
前記電話サービスインジケータがＬＥＤであるシステム。
【請求項４】
請求項１に記載のシステムであって、
前記電話サービスインジケータが可聴アラームであるシステム。
【請求項５】
ケーブル電話装置のオンデマンド型バッテリーバックアップを提供するシステムであって、
ＡＣ主電源をＤＣ電力に変換する手段と、
バッテリーを充電する手段と、
調整した電力をケーブルモデム装置に提供する手段と、
ＡＣ主電源の存在を検出する手段と、
ケーブルモデム装置に信号を提供してＡＣ主電源が利用可能でないときを示す手段と、
前記ケーブルモデム装置により前記信号を検出する手段と、
スリープモードに入り、前記ケーブルモデム装置により電話インタフェースを無効にする手段と、
電話装置を起動する手段と、
前記電話装置の起動時に、スリープモードを出て、前記ケーブルモデム装置により電話インタフェースを有効にする手段と、
前記ケーブルモデム装置により電話サービスの可用性を示す手段と
を有するシステム。
【請求項６】
請求項５に記載のシステムであって、
前記スリープモードに入る手段は、ＡＣ主電源の不稼動の間に第１のタイマーの経過により起動される手段を有するシステム。
【請求項７】
請求項５に記載のシステムであって、
ＡＣ主電源の不稼動の間に動作中の電話呼出を終了することによりスリープモードに再び入る手段を更に有するシステム。
【請求項８】
請求項５に記載のシステムであって、
第２のタイマーの経過によりスリープモードに再び入り、ＡＣ主電源の不稼動の間に動作中の電話呼出が行われない手段を更に有するシステム。
【請求項９】
請求項５に記載のシステムであって、
ＡＣ主電源の不稼動の間に前記バッテリーが消耗することによりスリープモードに再び入る手段を更に有するシステム。
【請求項１０】
ケーブル電話装置のオンデマンド型バッテリーバックアップを提供する方法であって、
ＡＣ主電源をＤＣ電力に変換するステップと、
バッテリーを充電するステップと、
調整した電力をケーブルモデム装置に提供するステップと、
ＡＣ主電源の存在を検出するステップと、
ケーブルモデム装置に信号を提供してＡＣ主電源が利用可能でないときを示すステップと、
前記ケーブルモデム装置により前記信号を検出するステップと、
スリープモードに入り、前記ケーブルモデム装置により電話インタフェースを無効にするステップと、
前記ケーブル電話装置の起動時に、スリープモードを出て、前記ケーブルモデム装置により電話インタフェースを有効にするステップと、
前記ケーブルモデム装置により電話サービスの可用性を示すステップと
を有する方法。
【請求項１１】
請求項１０に記載の方法であって、
ＡＣ主電源の不稼動の間に第１のタイマーが経過した後に前記スリープモードに入るステップを更に有する方法。
【請求項１２】
請求項１０に記載の方法であって、
ＡＣ主電源の不稼動の間に動作中の電話呼出を終了することによりスリープモードに再び入るステップを更に有する方法。
【請求項１３】
請求項１０に記載の方法であって、
第２のタイマーの経過により起動され、ＡＣ主電源の不稼動の間に動作中の電話呼出が行われないことにより、スリープモードに再び入るステップを更に有する方法。
【請求項１４】
請求項１０に記載の方法であって、
ＡＣ主電源の不稼動の間に前記バッテリーが消耗することにより起動されることによってスリープモードに再び入るステップを更に有する方法。
【請求項１５】
ケーブル電話装置のオンデマンド型バッテリーバックアップを有するケーブル電話装置であって、
ケーブルモデム装置に電力を供給するＡＣ主電源からＤＣ電力への変換器、バッテリー充電器、電源レギュレータと、
ケーブルモデム装置に信号を提供してＡＣ主電源が利用可能でないときを示すＡＣ主電源検出器と
を有するケーブル電話装置。
【請求項１６】
ＡＣ電源が利用可能でないときを示す信号検出器であって、
スリープモードに入り、ケーブルモデム装置により電話インタフェースを無効にする手段と、
電話装置を起動する手段と、
前記電話装置の起動時に、スリープモードを出て、前記ケーブルモデム装置により電話インタフェースを有効にする手段と、
前記ケーブルモデム装置により電話サービスの可用性を示す手段と
を有する信号検出器。
【請求項１７】
請求項１６に記載のシステムであって、
前記スリープモードに入る手段は、ＡＣ主電源の不稼動の間に第１のタイマーの経過により起動される手段を有するシステム。
【請求項１８】
請求項１６に記載のシステムであって、
ＡＣ主電源の不稼動の間に動作中の電話呼出を終了することによりスリープモードに再び入る手段を更に有するシステム。
【請求項１９】
請求項１６に記載のシステムであって、
第２のタイマーの経過によりスリープモードに再び入り、ＡＣ主電源の不稼動の間に動作中の電話呼出が行われない手段を更に有するシステム。
【請求項２０】
請求項１６に記載のシステムであって、
ＡＣ主電源の不稼動の間に前記バッテリーが消耗することによりスリープモードに再び入る手段を更に有するシステム。
【発明の詳細な説明】
【技術分野】
【０００１】
本発明はケーブル電話に関するものであり、特にケーブル電話装置のオンデマンド型バッテリーバックアップ用のシステム及び方法に関するものである。
【背景技術】
【０００２】
ケーブル上ボイス・オーバー・インターネットプロトコル（“ＶｏＩＰ：Ｖｏｉｃｅ  ｏｖｅｒ  Ｉｎｔｅｒｎｅｔ  Ｐｒｏｔｏｃｏｌ”）としても知られるケーブルネットワークでの電話サービスは、主ＡＣ電源の停電により影響を受けやすい。その理由は、第１世代のケーブルＶｏＩＰ装置はＡＣ主電源から電力供給を受けており、ケーブルネットワークに登録され続けるために、ケーブルモデム終端装置システム（“ＣＭＴＳ：Ｃａｂｌｅ  Ｍｏｄｅｍ  Ｔｅｒｍｉｎａｔｉｏｎ  Ｓｙｓｔｅｍ”）から定期的なポーリング信号に応答しなければならないからである。
【０００３】
既存のバッテリー付き電源装置は、単にバッテリーが通常の動作電力を電話装置に提供することができる限り、動作し、バッテリーが消耗したときにその出力をオフにする。ＡＣ主電源の休止の間に不要な回路をアイドルモード又はスリープモードにすることにより、バックアップ時間を延長するインタフェース装置についての電力節約機構が提案されている。既存のＤａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎ（“ＤＯＣＳＩＳ”）のケーブルモデム装置のプロトコルの場合、ケーブルモデム装置はケーブルネットワークに登録され続けるために、ＣＭＴＳからのポーリングメッセージに応答し続けなければならないため、この機構は限られた成功しかしていない。ポーリング応答は、ケーブルモデム装置のほとんどの電力消費回路が通常の動作に留まることを要求する。
【０００４】
既存の商用バックアップ用電源装置は、約１０時間のケーブルモデム装置の動作に対して十分なエネルギー（約４００キロジュール）を供給する。延長した停電の場合には、このバックアップタイムが大きくなる可能性があり、加入者は発信電話を行う機能を失う。
【発明の開示】
【発明が解決しようとする課題】
【０００５】
従って、ケーブル電話装置にオンデマンド型バッテリーバックアップを提供するシステム及び方法の必要性が存在する。
【課題を解決するための手段】
【０００６】
ケーブル電話装置にオンデマンド型バッテリーバックアップを提供するシステム及び方法は、ＡＣ主電源をＤＣに変換し、バッテリーを充電し、調整した電力をケーブルモデム装置に提供し、ケーブルモデム装置に信号を提供してＡＣ主電源が存在しないことを示し、ケーブル電話装置の電話サービスを提供することを有する。
【発明を実施するための最良の形態】
【０００７】
本発明の好ましい実施例について、添付図面を参照して以下に詳細に説明する。
【０００８】
本発明の一実施例によると、バッテリーバックアップ用電源装置を提供するシステム及び方法は、ＡＣ主電源をＤＣに変換するコンバータを有し、バッテリーを充電する充電器を有し、調整した電力をケーブルモデム装置に提供する電源を有し、ＡＣ主電源が存在しないときを検出するＡＣ主電源検出器を有し、ケーブルモデム装置に電力損失信号を提供してＡＣ主電源が存在しないときを示す信号提供器を有する。
【０００９】
ケーブルモデム装置は、オンデマンド型バッテリーバックアップからケーブルモデム装置に提供される電力損失信号を検出する信号検出器を有する。更に、ケーブルモデム装置は、選択された回路を無効にして低電力消費のスリープモードを提供する電力ゲート回路のようなスリープモード回路を有する。このモードでは、ケーブルモデム装置はＣＭＴＳと通信せず、データ又は電話サービスを提供しない。
【００１０】
ケーブルモデム装置はまた、電話サービスの起動時にスリープモードを終了するウエイクアップ回路を有する。例えば、加入者が発信電話呼出を行おうとすることを示す起動スイッチを加入者が起動することができる。更に、ケーブルモデム装置は、電話装置の起動時に電話インタフェースを提供する回路を有する。起動スイッチを起動すると、ケーブルモデム装置が起動する。例えば、電力ゲート回路がオフになっている回路をイネーブルにし、ケーブルモデム装置をケーブルネットワークで初期化し、それによって電話インタフェースを提供することにより、起動が生じてもよい。この処理は約１分を要する。更に、ケーブルモデム装置は、例えばＬＥＣを点灯することにより、又は可聴ビープを起動することにより、電話サービスが利用可能であることを信号で示す電話サービスインジケータを有してもよい。
【００１１】
ケーブルモデム装置の電力ゲート回路はまた、第１のタイマーを有し、それにより、主電源の停電の後に、オンデマンド型バッテリーバックアップからの電力損失信号により指示されると、ケーブルモデム装置は第１のタイマーが経過するまでスリープモードに入らない。このことにより、ケーブルモデム装置は、電力中断の大部分を構成する短い停電の間に、通常通りに機能することが可能になる。第１のタイマーが経過した後に、ケーブルモデム装置はスリープモードに入り、ケーブル電話が起動されたことをケーブルモデム装置のウエイクアップ回路が検出したことを感知するまで、そのモードを継続する。それは前述のように起動し、付属の電話装置からの動作がなくなってから第２のタイマーが経過するまで、動作中の電話呼出が終了するまで、又はバッテリーが消耗するまで、通常の動作を継続する。前記のイベントのうちのいずれかの発生時に、ケーブルモデム装置はスリープモードに再び入る。
【００１２】
本発明のその他の実施例では、ケーブルモデム装置の電力ゲート回路は、付属の電話装置のフック状態を監視する電話インタフェース回路の部分に電力を提供する。電話装置がオフフックになると、ケーブルモデム装置が起動し、ケーブル電話装置の通常の機能を再び可能にする。この実施例の主な利点は、加入者が単に付属の電話装置を取り、発信呼出が行われ得る処理を始めることができることである。
【００１３】
図１及び２を参照すると、図１は、ケーブル電話装置のオンデマンド型バッテリーバックアップ用の方法を示しており、図２は、ケーブル電話装置のオンデマンド型バッテリーバックアップ用のシステムを示している。図面に示すように、電話２２６のようなケーブル電話装置はケーブルモデム装置２１６に接続されている。ケーブルモデム装置２１６はオンデマンド型バッテリーバックアップ２０４により電力供給されている。バッテリーバックアップ２０４は、ＡＣ主電流２０２により電力供給されており、ＡＣ／ＤＣコンバータ／充電器／電源レギュレータ２０６を有する。ＡＣ／ＤＣコンバータ／充電器／電源レギュレータ２０６はＡＣ主電源をＤＣ電力に変換し（ステップ１０２）、バッテリーを充電し（ステップ１０４）、調整した電力をケーブルモデム装置２１６に供給する（ステップ１０６）。オンデマンド型バックアップは、バッテリー電源用のバッテリーパック２０８と、ＡＣ主電源の不稼動を示す（ステップ１０８）ＡＣ電源モニタ／信号提供器２１０とを有する。
【００１４】
オンデマンド型バッテリーバックアップ２０４は、例えばＡＣ主電源の停電中に、ＡＣ主電流がないことを示す（ステップ１１０）電力損失信号２１４を信号検出器２１８に提供する。信号検出器２１８がオンデマンド型バッテリーバックアップ２０４により生成された電力損失信号２１４を検出すると（ステップ１１２）、スリープ回路２２０を備えたＤＯＣＳＩＳケーブルモデム装置はスリープモードに入る（ステップ１１４）、すなわち、電話インタフェース２２２を無効にし、それによって電話サービスを不稼動にする。ＡＣ主電源の停電が短い持続時間である場合（ステップ１１４）、ケーブルモデム装置２１６はまた、第１のタイマー２１７が経過するまでスリープモードに入らないようにする第１のタイマー２１７を備えてもよい。
【００１５】
ケーブルモデム装置２１６はケーブルモデム終端装置システム２３０によりネットワーク２３２に接続されており、ネットワーク２３２との通信を可能にする。ケーブルモデム装置２１６はＤａｔａ  Ｏｖｅｒ  Ｃａｂｌｅ  Ｓｙｓｔｅｍ  Ｉｎｔｅｒｆａｃｅ  Ｓｐｅｃｉｆｉｃａｔｉｏｎ（ＤＯＣＳＩＳ）プロトコル２２０を使用し、電話インタフェース２２２と、電話サービスを起動する起動スイッチ２２４と、サービスの可用性を示す電話サービスインジケータ２２８とを有する。起動スイッチ２２４が押されると、すなわち、起動すると、スリープモードから出て電話インタフェースが有効になり（ステップ１１６）、それによって、加入者が電話呼出を行うことが可能になる。電話サービスが利用可能になると、ケーブルモデム装置２１６は、電話サービスインジケータ２２８（例えばＬＥＣ又は可聴アラーム）を使用して、電話サービスの可用性を示唆する（ステップ１１８）。
【００１６】
動作中の電話呼出が終了すると、ケーブルモデム装置２１６はスリープモードに再び入る（ステップ１２０）。バッテリーパック２０８が消耗した場合（ステップ１２０）、又は加入者により動作中の電話呼出が行われずに第２のタイマー２２５が経過した場合（ステップ１２０）、ケーブルモデム装置２１６はまたスリープモードに再び入る。
【００１７】
ケーブル電話装置のオンデマンド型バッテリーバックアップ用のシステム及び方法の実施例について説明したが、前記の教示を踏まえて、当業者により変形及び変更が行われ得ることに留意すべきである。従って、開示されている本発明の特定の実施例に変更が行われてもよく、それは特許請求の範囲に記載されている本発明の範囲及び要旨の範囲内であることがわかる。
【図面の簡単な説明】
【００１８】
【図１】本発明の実施例に従ってケーブル電話装置にオンデマンド型バッテリーバックアップを供給する方法のフローチャート
【図２】本発明の実施例に従ってオンデマンド型バッテリーバックアップを使用して動作するように適合されたケーブル電話装置を有するシステムのブロック図
【図１】
2006500829.tif 000003
【図２】
2006500829.tif 000004
【国際調査報告】
2006500829.tif 000005